(57)【要約】【課題】フルブリード印刷機能を実行する場合において、記録用紙の両端部に付着したトナーの除去の必要度を考慮して、当該トナーを適切に除去することが可能な画像形成装置およびトナー除去制御方法を提供する。【解決手段】フルブリード印刷モードで、記録用紙Ｓに対してトナー像を形成する画像形成部１５０と、画像形成部１５０により形成されたトナー像を記録用紙Ｓに定着させる定着部１７０と、画像形成部１５０と定着部１７０との間の用紙搬送経路に設けられ、記録用紙Ｓのうち用紙搬送方向に垂直な用紙幅方向の両端部に接触して、当該両端部に付着したトナーを除去する除去部２００，２１０と、画像形成条件（記録用紙Ｓの坪量）に基づいて、記録用紙Ｓの両端部と除去部２００，２１０との接触位置を変更させるように制御する制御部１０１とを備える。【選択図】図２
2014206584.tif 000002
【特許請求の範囲】
【請求項１】
フルブリード印刷モードで、記録用紙に対してトナー像を形成する画像形成部と、
前記画像形成部により形成された前記トナー像を前記記録用紙に定着させる定着部と、
前記画像形成部と前記定着部との間の用紙搬送経路に設けられ、前記記録用紙のうち用紙搬送方向に垂直な用紙幅方向の両端部に接触して、当該両端部に付着したトナーを除去する除去部と、
画像形成条件に基づいて、前記記録用紙の両端部と前記除去部との接触位置を変更させるように制御する制御部と、
を備える画像形成装置。
【請求項２】
前記画像形成条件は、前記記録用紙の坪量である請求項１に記載の画像形成装置。
【請求項３】
前記画像形成条件は、前記記録用紙の両端部近傍の面積に対する印字面積の割合を示す印字率である請求項１に記載の画像形成装置。
【請求項４】
前記記録用紙を持ち上げる持ち上げ部を備え、
前記制御部は、前記画像形成条件に基づいて、前記持ち上げ部による前記記録用紙の持ち上げ量を変更することによって、前記記録用紙の両端部と前記除去部との接触位置を変更させる請求項１〜３の何れか１項に記載の画像形成装置。
【請求項５】
前記除去部は、
前記記録用紙の両端部に接触して、当該両端部に付着したトナーを除去する除去部材と、
前記除去部材を前記記録用紙の両端部に向けて押し当てる押し当て部材と、
を備える請求項１〜４の何れか１項に記載の画像形成装置。
【請求項６】
前記除去部材と前記記録用紙の両端部とを、所定の速度差をもって接触させる速度差生成部を備え、
前記制御部は、前記画像形成条件に基づいて、前記所定の速度差を変更するように前記速度差生成部を制御する請求項５に記載の画像形成装置。
【請求項７】
前記除去部は、
前記除去部材を介して前記記録用紙の両端部に接触して、当該記録用紙の両端部を加熱する加熱部を備える請求項５または６に記載の画像形成装置。
【請求項８】
前記制御部は、前記画像形成条件に基づいて、前記加熱部による加熱をオンまたはオフに切り替える請求項７に記載の画像形成装置。
【請求項９】
前記制御部は、前記画像形成条件に基づいて、前記記録用紙の両端部に対する前記加熱部の加熱温度を変更する請求項７に記載の画像形成装置。
【請求項１０】
前記加熱部には、一の方向に向かって温度が高くなる温度勾配が形成され、
前記制御部は、前記画像形成条件に基づいて、前記一の方向に沿った前記記録用紙の両端部と前記加熱部との接触位置を変更させることによって、前記記録用紙の両端部に対する前記加熱部の加熱温度を変更する請求項９に記載の画像形成装置。
【請求項１１】
フルブリード印刷モードで、記録用紙に対してトナー像を形成する画像形成部と、
前記画像形成部により形成された前記トナー像を前記記録用紙に定着させる定着部と、
前記画像形成部と前記定着部との間の用紙搬送経路に設けられ、前記記録用紙のうち用紙搬送方向に垂直な用紙幅方向の両端部に接触して、当該両端部に付着したトナーを除去する除去部と、
を備える画像形成装置におけるトナー除去制御方法であって、
画像形成条件に基づいて、前記記録用紙の両端部と前記除去部との接触位置を変更させるように制御するトナー除去制御方法。
【発明の詳細な説明】
【技術分野】
【０００１】
本発明は、画像形成装置およびトナー除去制御方法に関する。
【背景技術】
【０００２】
電子写真方式の画像形成装置では、記録用紙の先端、後端、左端および右端に余白を作ることなく、印刷面の全面に画像形成を行う縁なし印刷機能、いわゆるフルブリード印刷機能が知られている。フルブリード印刷機能を実行する場合、記録用紙内に余白ができないようにするために記録用紙サイズより大きい画像データに基づき画像が形成される。そのため、記録用紙の印刷面だけにトナーが載るのではなく、記録用紙からはみ出したトナーが、用紙搬送方向に垂直な用紙幅方向の両端部（以下、単に「両端部」と言う）に付着する。
【０００３】
画像形成装置では、トナー像を記録用紙に転写させた後、定着部において加熱、加圧して定着させることにより記録用紙に画像を形成する。しかし、記録用紙の両端部には定着部による熱や圧力が効率よく伝わらないため、記録用紙の両端部に付着したトナーは定着部通過後も定着されにくい。そのため、記録用紙の両端部に付着したトナーは、定着ローラーや排紙ローラー等に多く転移し、当該定着ローラーや排紙ローラー等に接触する次の記録用紙に再付着してしまうという問題があった。また、印刷された記録用紙を取り扱う際に、記録用紙の両端部に付着したトナーがユーザーの手を汚してしまうという問題があった。
【０００４】
上記問題に対して、転写後の記録材が転写装置から定着装置へ搬送される時に、清掃部材（Ｓｉゴムローラー、スポンジローラー、ファーブラシ）を記録材に当接させることによって、記録材の非印刷面および記録材先端に付着した現像剤を除去する技術が提案されている（例えば、特許文献１を参照）。
【先行技術文献】
【特許文献】
【０００５】
【特許文献１】特開２００６−１７１５５４号公報
【発明の概要】
【発明が解決しようとする課題】
【０００６】
ところで、フルブリード印刷機能を実行する場合、例えば記録用紙の厚みに応じて、記録用紙の両端部に付着したトナーの除去の必要度は異なる。厚手の記録用紙の場合には、記録用紙の両端部に付着するトナー量は多く、トナーの除去の必要度は大きい一方、薄手の記録用紙の場合には、当該記録用紙の両端部に付着するトナーは少なく、トナーの除去の必要度は小さい。
【０００７】
上記特許文献１に記載の技術の場合、記録材に付着した現像剤を除去する機構は備えているものの、現像剤の除去の必要度を考慮する記載は全くなく、記録用紙が厚手であるか薄手であるかに関係なく同じように、清掃部材を記録材に当接させていると考えられる。しかしながら、厚手の記録用紙の場合、薄手の記録用紙の場合と同様に清掃部材を記録材に当接させると、記録用紙の両端部に付着したトナーを十分に除去できないおそれがあった。また、薄手の記録用紙の場合、厚手の記録用紙の場合と同様に清掃部材を記録材に当接させると、記録用紙に対して清掃部材による負荷がかかり過ぎて、当該記録用紙にしわ等のダメージを与えてしまうおそれがあった。以上より、上記問題に対して、上記特許文献１に記載の技術をそのまま適用することはできない。
【０００８】
本発明は、フルブリード印刷機能を実行する場合において、記録用紙の両端部に付着したトナーの除去の必要度を考慮して、当該トナーを適切に除去することが可能な画像形成装置およびトナー除去制御方法を提供することを目的とする。
【課題を解決するための手段】
【０００９】
本発明に係る画像形成装置は、
フルブリード印刷モードで、記録用紙に対してトナー像を形成する画像形成部と、
前記画像形成部により形成された前記トナー像を前記記録用紙に定着させる定着部と、
前記画像形成部と前記定着部との間の用紙搬送経路に設けられ、前記記録用紙のうち用紙搬送方向に垂直な用紙幅方向の両端部に接触して、当該両端部に付着したトナーを除去する除去部と、
画像形成条件に基づいて、前記記録用紙の両端部と前記除去部との接触位置を変更させるように制御する制御部と、
を備える。
本発明に係る画像形成装置におけるトナー除去制御方法は、
フルブリード印刷モードで、記録用紙に対してトナー像を形成する画像形成部と、
前記画像形成部により形成された前記トナー像を前記記録用紙に定着させる定着部と、
前記画像形成部と前記定着部との間の用紙搬送経路に設けられ、前記記録用紙のうち用紙搬送方向に垂直な用紙幅方向の両端部に接触して、当該両端部に付着したトナーを除去する除去部と、
を備える画像形成装置におけるトナー除去制御方法であって、
画像形成条件に基づいて、前記記録用紙の両端部と前記除去部との接触位置を変更させるように制御する。
【発明の効果】
【００１０】
本発明によれば、フルブリード印刷機能を実行する場合において、記録用紙の両端部に付着したトナーの除去の必要度を考慮して、当該トナーを適切に除去することが可能な画像形成装置およびトナー除去制御方法を提供することができる。
【図面の簡単な説明】
【００１１】
【図１】本実施の形態における画像形成装置の制御ブロックを示す図である。
【図２】本実施の形態における画像形成部と定着部との間の搬送経路付近の構成を示す図である。
【図３】本実施の形態における記録用紙を持ち上げる構成を示す図である。
【図４】本実施の形態における画像形成装置のトナー除去制御動作を示すフローチャートである。
【図５】本実施の形態における除去部の構成の変形例を示す図である。
【発明を実施するための形態】
【００１２】
以下、本発明の実施の形態を図面に基づいて詳細に説明する。
［画像形成装置１００の構成］
図１に示す画像形成装置１００は、電子写真プロセスにより記録用紙に画像を形成する。画像形成装置１００は、制御部１０１、原稿読み取り部１１０、操作表示部１２０、画像処理部１３０、画像書込部１４０、画像形成部１５０、搬送部１６０、定着部１７０、通信部１７１、記憶部１７２、第１駆動部１８０、第２駆動部１８２、第３駆動部１８４および押し当てローラー２００ｂ，２１０ｂを備える。なお、第２駆動部１８２は、本発明の持ち上げ部として機能する。第３駆動部１８４は、本発明の速度差生成部として機能する。押し当てローラー２００ｂ，２１０ｂは、本発明の押し当て部材および加熱部として機能する。
【００１３】
制御部１０１は、ＣＰＵ（Ｃｅｎｔｒａｌ  Ｐｒｏｃｅｓｓｉｎｇ  Ｕｎｉｔ）１０２、ＲＯＭ（Ｒｅａｄ  Ｏｎｌｙ  Ｍｅｍｏｒｙ）１０３、ＲＡＭ（Ｒａｎｄｏｍ  Ａｃｃｅｓｓ  Ｍｅｍｏｒｙ）１０４等を備えている。ＣＰＵ１０２は、ＲＯＭ１０３から処理内容に応じたプログラムを読み出してＲＡＭ１０４に展開し、展開したプログラムと協働して画像形成装置１００の各ブロックの動作を集中制御する。このとき、記憶部１７２に格納されている各種データが参照される。記憶部１７２は、例えば不揮発性の半導体メモリ（いわゆるフラッシュメモリ）やハードディスクドライブで構成される。
【００１４】
制御部１０１は、通信部１７１を介して、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）等の通信ネットワークに接続された外部装置（例えばパーソナルコンピューター）との間で、各種データの送受信を行う。制御部１０１は、例えば、外部装置から送信された画像データを受信し、この画像データ（入力画像データ）に基づいて記録用紙に画像を形成させる。通信部１７１は、例えばＬＡＮカード等の通信制御カードで構成される。
【００１５】
原稿読み取り部１１０は、コンタクトガラス上に搬送された原稿を光学的に走査し、原稿からの反射光をＣＣＤ（Ｃｈａｒｇｅ  Ｃｏｕｐｌｅｄ  Ｄｅｖｉｃｅ）センサーの受光面上に結像させ、原稿を読み取る。なお、コンタクトガラス上への原稿の搬送は、自動原稿給紙装置（ＡＤＦ）により行われるが、手作業で原稿をコンタクトガラス上に載置する場合もある。
【００１６】
操作表示部１２０は、タッチパネル式の画面を有する。ユーザーが行う各種の指示および設定のための入力操作は、タッチパネル式の画面を介して行うことができる。本実施の形態では、ユーザーは、操作表示部１２０を介して記録用紙の坪量を設定することができる。操作表示部１２０は、ユーザーにより記録用紙の坪量を設定する操作を受け付けた場合、当該坪量を示す坪量情報を制御部１０１に出力する。制御部１０１は、操作表示部１２０を介してフルブリード印刷モードが指定された場合、動作モードをフルブリード印刷モードに設定する。ここで、フルブリード印刷モードとは、印刷面の全面に画像形成を行う動作モードである。フルブリード印刷モードでは、記録用紙内に余白ができないようにするために記録用紙サイズより大きい画像データに基づき画像が形成される。
【００１７】
画像処理部１３０は、アナログディジタル（Ａ／Ｄ）変換処理を行う回路およびディジタル画像処理を行う回路を含む。画像処理部１３０は、原稿読み取り部１１０のＣＣＤセンサーにより取得されたアナログ画像信号から、Ａ／Ｄ変換処理によりディジタル画像データを生成して画像書込部１４０に出力する。
【００１８】
画像書込部１４０は、画像処理部１３０により生成されたディジタル画像データに基づいてレーザー光を発光し、当該発光したレーザー光を、画像形成部１５０の感光体ドラムに照射することにより、感光体ドラム上に静電潜像を形成する（露光工程）。
【００１９】
画像形成部１５０は、上記の露光工程に加え、露光工程前に行われる帯電工程、露光工程後に行われる現像工程、現像工程後の転写工程および転写工程後のクリーニング工程をそれぞれ実行するための構成を備えている。帯電工程では、画像形成部１５０は、帯電装置からのコロナ放電により、感光体ドラム表面を一様に帯電させる。現像工程では、画像形成部１５０は、現像装置内の現像剤に含まれるトナーを感光体ドラム上の静電潜像に付着させることにより、感光体ドラム上にトナー像を形成する。
【００２０】
転写工程では、画像形成部１５０は、感光体ドラム上のトナー像を、転写ベルトとして機能する中間転写ベルトに１次転写させる。また、画像形成部１５０は、中間転写ベルト上のトナー像を、搬送部１６０により搬送された記録用紙に２次転写させる。
【００２１】
クリーニング工程では、画像形成部１５０は、ブラシ等を感光体ドラムに接触させることにより、転写工程後の感光体ドラムに残留しているトナーを除去する。また、クリーニング装置は、転写工程後の中間転写ベルトに残留しているトナーを除去する。
【００２２】
定着部１７０は、定着ローラーおよび加圧ローラーを備える。加圧ローラーは、定着ローラーと圧接した状態で配置されている。定着ローラーと加圧ローラーとの圧接部には定着ニップ部が形成されている。定着部１７０は、定着ニップ部に導入された記録用紙上のトナー像に熱および圧力を加えること（加熱定着）により、トナー像を記録用紙に定着させる（定着工程）。この結果、記録用紙上には定着トナー像が形成される。定着部１７０により加熱定着された記録用紙は、画像形成装置１００の外部に排出される。
【００２３】
第１駆動部１８０は、例えば、モーター、ギアおよびスライドカム等の組み合わせにより構成される。第２駆動部１８２は、例えば、モーターおよびギア等の組み合わせにより構成される。第３駆動部１８４は、例えば、モーターおよびギア等の組み合わせにより構成される。
【００２４】
制御部１０１は、操作表示部１２０を介してフルブリード印刷モードが指定された場合、画像形成条件（本実施の形態では、記録用紙の坪量）に基づいて、記録用紙の両端部と後述する除去部２００，２１０（図２参照）との接触位置を変更させる。以下、記録用紙の両端部と除去部２００，２１０との接触位置を変更させるための構成について説明する。
【００２５】
［画像形成部１５０と定着部１７０との間の用紙搬送経路付近の構成］
次に、画像形成部１５０と定着部１７０との間の用紙搬送経路付近の構成について説明する。図２（ａ）に示すように、画像形成部１５０は、中間転写体となる中間転写ベルト１５１、２次転写ローラー１５２、駆動ローラー１５３および従動ローラー１５４等を備えている。
【００２６】
中間転写ベルト１５１は無端状ベルトで構成され、駆動ローラー１５３および従動ローラー１５４に張架される。中間転写ベルト１５１は、駆動ローラー１５３の回転により矢印Ａ方向に一定速度で走行する。中間転写ベルト１５１が２次転写ローラー１５２によって記録用紙に圧接されると、中間転写ベルト１５１に１次転写されたトナー像が記録用紙に２次転写される。
【００２７】
定着部１７０は、ローラー加熱方式により構成される。定着部１７０は、定着ニップ部ＮＰを形成する定着ローラー１７５と加圧ローラー１７６とを有する。加圧ローラー１７６は、定着ローラー１７５に所定の定着荷重で押圧される。このようにして、定着ローラー１７５と加圧ローラー１７６との間には、記録用紙を狭持して搬送する定着ニップ部ＮＰが形成される。なお、定着部１７０は、ベルト加熱方式により構成されても良い。
【００２８】
画像形成部１５０によりトナー画像が形成された記録用紙は、画像形成部１５０と定着部１７０との間の用紙搬送経路を構成する未定着用紙搬送装置１６１（搬送部１６０に含まれる）と、突入ガイド１６２とによって定着部１７０に搬送される。未定着用紙搬送装置１６１は、搬送ローラー１６１ａ，１６１ｂおよび搬送ベルト１６１ｃを備えて構成されている。
【００２９】
搬送ベルト１６１ｃは、ゴム層がベースとして形成され、その外表面に軟質ポリウレタンを主成分とした表面層が形成されている。記録用紙と接触する搬送面（搬送ベルト１６１ｃの上方側部分）の摩擦係数は例えば１．７である。搬送ベルト１６１ｃは、搬送ローラー１６１ａ，１６１ｂに沿って無端状に巻き掛けられ、搬送ローラー１６１ａ，１６１ｂのうち一方のローラーを回転駆動することにより反時計回りに回転される。搬送ベルト１６１ｃの回転による記録用紙の搬送速度は、例えば、５５０〜５８０［ｍｍ／ｓ］である。搬送ベルト１６１ｃは、記録用紙が画像形成部１５０に搬送されると同時に回転動作を開始する。
【００３０】
本実施の形態では、未定着用紙搬送装置１６１の近傍、かつ、矢印Ｂで示す用紙搬送方向に垂直な用紙幅方向（紙面垂直方向）において除去部２００，２１０が設けられている。除去部２００，２１０は、フルブリード印刷モードが指定された場合、画像形成部１５０によりトナー像が記録用紙に形成された際、当該記録用紙の用紙幅方向の両端部に付着したトナーを除去する。
【００３１】
図２（ｂ）は、図２（ａ）に示す未定着用紙搬送装置１６１、除去部２００，２１０を図中上方向から見た上視図であり、未定着用紙搬送装置１６１により記録用紙Ｓが矢印Ｃ方向（用紙搬送方向）に搬送されている様子を示している。
【００３２】
図２（ｂ）に示すように、未定着用紙搬送装置１６１を構成する搬送ベルト１６１ｃの幅Ｗ１は、記録用紙Ｓの幅Ｗ２より狭い。図中左右方向における搬送ベルト１６１ｃの両端部付近には、制御部１０１の制御を受けた第２駆動部１８２によって回転可能なスライドカム２２０，２３０が設けられている。
【００３３】
除去部２００は、制御部１０１の制御を受けた第１駆動部１８０によって図中左右方向に移動可能である。除去部２００は、除去部材２００ａ（本実施の形態では、不織布）、押し当てローラー２００ｂ、巻き取りローラー２００ｃおよび繰り出しローラー２００ｄを備える。除去部材２００ａは、記録用紙Ｓの用紙幅方向における両端部のうち左端部に接触して、当該左端部に付着したトナーを除去する。押し当てローラー２００ｂは、除去部材２００ａを記録用紙Ｓの左端部に向けて押し当てる。
【００３４】
制御部１０１は、操作表示部１２０を介してあらかじめ設定された記録用紙Ｓの用紙幅に応じて、除去部材２００ａが所定の圧力で記録用紙Ｓの左端部に押し当てられるように、除去部２００を図中左右方向に移動させる。ここで、所定の圧力とは、未定着用紙搬送装置１６１による記録用紙Ｓの搬送を妨げない程度の圧力（例えば、数［Ｎ］）である。
【００３５】
除去部材２００ａは、巻き取りローラー２００ｃと繰り出しローラー２００ｄとの間に掛け渡されている。繰り出しローラー２００ｄには、あらかじめ約２０〜３０［ｍ］の除去部材２００ａが巻き取られている。
【００３６】
除去部材２００ａは、巻き取りローラー２００ｃが回転することにより、繰り出しローラー２００ｄの回転に伴って巻き出され、巻き取りローラー２００ｃによって巻き取られる。巻き取りローラー２００ｃの回転動作は、制御部１０１の制御を受けた第３駆動部１８４によって行われる。制御部１０１は、記録用紙Ｓの坪量に基づいて、第３駆動部１８４を制御して巻き取りローラー２００ｃを回転させることにより、除去部材２００ａと記録用紙Ｓの左端部とを、所定の速度差をもって接触させる。ここで、所定の速度差とは、搬送ベルト１６１ｃの回転による記録用紙Ｓの搬送速度と、押し当てローラー２００ｂの外周面において巻き取りローラー２００ｃにより巻き取られる除去部材２００ａの速度との差分である。以下の説明では、所定の速度差を、記録用紙Ｓの搬送速度に対する、当該搬送速度と除去部材２００ａの速度との差分の割合［％］として説明する。
【００３７】
押し当てローラー２００ｂは、除去部材２００ａを介して記録用紙Ｓの左端部を加熱するハロゲンヒーター（図示せず）を内蔵している。ハロゲンヒーターの駆動制御（例えば、加熱のオン／オフ、加熱温度）は、制御部１０１によって制御される。ハロゲンヒーターによって押し当てローラー２００ｂが加熱され、その結果、除去部材２００ａを介して記録用紙Ｓの左端部が加熱される。よって、記録用紙Ｓの左端部に付着している（残留している）トナーが固化する。
【００３８】
除去部２１０は、制御部１０１の制御を受けた第１駆動部１８０によって図中左右方向に移動可能である。除去部２１０は、除去部材２１０ａ（本実施の形態では、不織布）、押し当てローラー２１０ｂ、巻き取りローラー２１０ｃおよび繰り出しローラー２１０ｄを備える。除去部材２１０ａは、記録用紙Ｓの用紙幅方向における両端部のうち右端部に接触して、当該右端部に付着したトナーを除去する。押し当てローラー２１０ｂは、除去部材２１０ａを記録用紙Ｓの右端部に向けて押し当てる。
【００３９】
制御部１０１は、操作表示部１２０を介してあらかじめ設定された記録用紙Ｓの用紙幅に応じて、除去部材２１０ａが所定の圧力で記録用紙Ｓの右端部に押し当てられるように、除去部２１０を図中左右方向に移動させる。
【００４０】
除去部材２１０ａは、巻き取りローラー２１０ｃと繰り出しローラー２１０ｄとの間に掛け渡されている。繰り出しローラー２１０ｄには、あらかじめ約２０〜３０［ｍ］の除去部材２１０ａが巻き取られている。
【００４１】
除去部材２１０ａは、巻き取りローラー２１０ｃが回転することにより、繰り出しローラー２１０ｄの回転に伴って巻き出され、巻き取りローラー２１０ｃによって巻き取られる。巻き取りローラー２１０ｃの回転動作は、制御部１０１の制御を受けた第３駆動部１８４によって行われる。制御部１０１は、第３駆動部１８４を制御して巻き取りローラー２１０ｃを回転させることにより、除去部材２１０ａと記録用紙Ｓの右端部とを、所定の速度差をもって接触させる。所定の速度差については、上述した所定の速度差と同様の概念である。
【００４２】
押し当てローラー２１０ｂは、除去部材２１０ａを介して記録用紙Ｓの右端部を加熱するハロゲンヒーター（図示せず）を内蔵している。ハロゲンヒーターの駆動制御（例えば、加熱のオン／オフ、加熱温度）は、制御部１０１によって制御される。ハロゲンヒーターによって押し当てローラー２１０ｂが加熱され、その結果、除去部材２１０ａを介して記録用紙Ｓの右端部が加熱される。よって、記録用紙Ｓの右端部に付着している（残留している）トナーが固化する。
【００４３】
次に、図３を参照し、記録用紙Ｓを持ち上げる構成について説明する。図３は、図２（ｂ）の左方向から未定着用紙搬送装置１６１、スライドカム２２０および押し当てローラー２００ｂを見た側面図である。なお、理解を容易にする都合上、除去部材２００ａ、巻き取りローラー２００ｃおよび繰り出しローラー２００ｄの図示を省略している。
【００４４】
押し当てローラー２００ｂには、一の方向（図中上方向）に向かって温度が高くなる温度勾配が形成されている。本実施の形態では、押し当てローラー２００ｂは、加熱温度が１８０［℃］に設定されている上側加熱部２００ｂａと、加熱温度が１２０［℃］に設定されている下側加熱部２００ｂｂとを備えて構成されている。
【００４５】
スライドカム２２０は支点２２５を中心として回転することができる。第２駆動部１８２は、制御部１０１から駆動命令を受けた場合、スライドカム２２０を回転させる。本実施の形態では、制御部１０１は、記録用紙Ｓの坪量に基づいて、記録用紙Ｓの左端部と押し当てローラー２００ｂとの接触位置を変更させるように第２駆動部１８２を制御することによって、記録用紙Ｓの左端部に対する押し当てローラー２００ｂの加熱温度を変更する。図３（ａ）では、制御部１０１は、スライドカム２２０を回転させない（つまり、記録用紙Ｓを持ち上げない）ことにより、記録用紙Ｓの左端部に押し当てローラー２００ｂの下側加熱部２００ｂｂを接触させている。この場合、記録用紙Ｓの左端部と上側加熱部２００ｂａとの接触面の形状は直線となる。図３（ｂ）では、制御部１０１は、スライドカム２２０を１８０°回転させる（つまり、記録用紙Ｓを所定量持ち上げる）ことにより、記録用紙Ｓの左端部に押し当てローラー２００ｂの上側加熱部２００ｂａを接触させている。この場合、記録用紙Ｓの左端部と上側加熱部２００ｂａとの接触面の形状は曲線となり、当該接触面の形状が直線である場合と比べて、記録用紙Ｓの左端部と上側加熱部２００ｂａとの接触面積が増大する。以上のように、制御部１０１は、記録用紙Ｓの持ち上げ量を変更することによって、記録用紙Ｓの左端部と除去部２００との接触位置を変更させる。
【００４６】
なお、図３では説明していないが、押し当てローラー２１０ｂは、押し当てローラー２００ｂと同様の構成を有している。つまり、押し当てローラー２１０ｂは、加熱温度が１８０［℃］に設定されている上側加熱部２１０ｂａと、加熱温度が１２０［℃］に設定されている下側加熱部２１０ｂｂとを備えて構成されている。また、スライドカム２３０は、制御部１０１の制御を受けた第２駆動部１８２によって、スライドカム２２０と同様に回転させられる。つまり、記録用紙Ｓの左端部に押し当てローラー２００ｂの下側加熱部２００ｂｂが接触している場合には、スライドカム２３０は回転せず、記録用紙Ｓの右端部に押し当てローラー２１０ｂの下側加熱部２１０ｂｂが接触している。また、記録用紙Ｓの左端部に押し当てローラー２００ｂの上側加熱部２００ｂａが接触している場合には、スライドカム２３０は回転し、記録用紙Ｓの右端部に押し当てローラー２１０ｂの上側加熱部２１０ｂａが接触している。
【００４７】
次に、図４のフローチャートを参照し、画像形成装置１００のトナー除去制御動作について説明する。図４に示す各処理は、操作表示部１２０を介して印刷ジョブの実行が指示される毎に行われる。
【００４８】
［画像形成装置１００のトナー除去制御動作］
まず、制御部１０１は、操作表示部１２０を介してフルブリード印刷モードが指定されているか否かについて判定する（ステップＳ１００）。この判定の結果、フルブリード印刷モードが指定されていない、すなわち通常印刷モードが指定されている場合（ステップＳ１００、ＮＯ）、画像形成装置１００は図４における処理を終了する。
【００４９】
一方、フルブリード印刷モードが指定されている場合（ステップＳ１００、ＹＥＳ）、制御部１０１は、操作表示部１２０から出力された坪量情報を取得する（ステップＳ１２０）。次に、制御部１０１は、取得した坪量情報により示される記録用紙Ｓの坪量が１００［ｇｓｍ］未満であるか否かについて判定する（ステップＳ１４０）。
【００５０】
この判定の結果、記録用紙Ｓの坪量が１００［ｇｓｍ］未満である場合（ステップＳ１４０、ＹＥＳ）、制御部１０１は、記録用紙Ｓが未定着用紙搬送装置１６１によって搬送される際、記録用紙Ｓの左端部および右端部が押し当てローラー２００ｂ，２１０ｂの下側加熱部２００ｂｂ，２１０ｂｂと接触するように、第２駆動部１８２を制御する（ステップＳ１６０）。また、制御部１０１は、除去部材２００ａ，２１０ａと記録用紙Ｓの左端部および右端部とが所定の速度差：５［％］をもって接触するように、第３駆動部１８４を制御する（ステップＳ１８０）。ステップＳ１８０の処理が完了することによって、画像形成装置１００は図４における処理を終了する。
【００５１】
ステップＳ１４０の判定に戻り、記録用紙Ｓの坪量が１００［ｇｓｍ］未満でない場合（ステップＳ１４０、ＮＯ）、制御部１０１は、記録用紙Ｓの坪量が１００［ｇｓｍ］以上、かつ、２００［ｇｓｍ］未満であるか否かについて判定する（ステップＳ２００）。この判定の結果、記録用紙Ｓの坪量が１００［ｇｓｍ］以上、かつ、２００［ｇｓｍ］未満である場合（ステップＳ２００、ＹＥＳ）、制御部１０１は、記録用紙Ｓが未定着用紙搬送装置１６１によって搬送される際、記録用紙Ｓの左端部および右端部が押し当てローラー２００ｂ，２１０ｂの上側加熱部２００ｂａ，２１０ｂａと接触するように、第２駆動部１８２を制御する（ステップＳ２２０）。また、制御部１０１は、除去部材２００ａ，２１０ａと記録用紙Ｓの左端部および右端部とが所定の速度差：５［％］をもって接触するように、第３駆動部１８４を制御する（ステップＳ２４０）。ステップＳ２４０の処理が完了することによって、画像形成装置１００は図４における処理を終了する。
【００５２】
ステップＳ２００の判定に戻り、記録用紙Ｓの坪量が１００［ｇｓｍ］以上、かつ、２００［ｇｓｍ］未満でない、すなわち２００［ｇｓｍ］以上である場合（ステップＳ２００、ＮＯ）、制御部１０１は、記録用紙Ｓが未定着用紙搬送装置１６１によって搬送される際、記録用紙Ｓの左端部および右端部が押し当てローラー２００ｂ，２１０ｂの上側加熱部２００ｂａ，２１０ｂａと接触するように、第２駆動部１８２を制御する（ステップＳ２６０）。また、制御部１０１は、除去部材２００ａ，２１０ａと記録用紙Ｓの左端部および右端部とが所定の速度差：２５［％］をもって接触するように、第３駆動部１８４を制御する（ステップＳ２８０）。ステップＳ２８０の処理が完了することによって、画像形成装置１００は図４における処理を終了する。
【００５３】
［本実施の形態の効果］
以上詳しく説明したように、本実施の形態では、フルブリード印刷モードで、記録用紙Ｓに対してトナー像を形成する画像形成部１５０と、画像形成部１５０により形成されたトナー像を記録用紙Ｓに定着させる定着部１７０と、画像形成部１５０と定着部１７０との間の用紙搬送経路に設けられ、記録用紙Ｓのうち用紙搬送方向に垂直な用紙幅方向の両端部に接触して、当該両端部に付着したトナーを除去する除去部２００，２１０と、画像形成条件（記録用紙Ｓの坪量）に基づいて、記録用紙Ｓの両端部と除去部２００，２１０との接触位置を変更させるように制御する制御部１０１とを備える。
【００５４】
このように構成した本実施の形態によれば、記録用紙Ｓの両端部と除去部２００，２１０との接触位置が一定ではなく、記録用紙Ｓの坪量に基づくトナーの除去の必要度に応じて、記録用紙Ｓの両端部と除去部２００，２１０との接触位置が変更させられる。そのため、厚手の記録用紙Ｓの場合において記録用紙Ｓの両端部に付着したトナーを十分に除去できないおそれや、薄手の記録用紙Ｓの場合において記録用紙Ｓに対して除去部２００，２１０による負荷がかかり過ぎて、記録用紙Ｓにしわ等のダメージを与えてしまうおそれを防止して、記録用紙Ｓの両端部に付着したトナーを適切に除去することができる。
【００５５】
特に、本実施の形態では、記録用紙Ｓの坪量に応じて、持ち上げ部（第２駆動部１８２）による記録用紙Ｓの持ち上げ量を変更することによって、記録用紙Ｓの両端部と除去部（除去部材２００ａ，２１０ａ）との接触位置を変更させる。具体的には、記録用紙Ｓの坪量が１００［ｇｓｍ］未満である場合には、記録用紙Ｓを持ち上げない一方、記録用紙Ｓの坪量が１００［ｇｓｍ］以上である場合には、記録用紙Ｓを持ち上げ、記録用紙Ｓを持ち上げないときよりも記録用紙Ｓの両端部と除去部材２００ａ，２１０ａとの接触面積を増大させる。この構成により、両端部に付着したトナー量が多くなりやすい厚手の記録用紙Ｓの場合、除去部材２００ａ，２１０ａによるトナーの除去効率が向上し、記録用紙Ｓの両端部に付着したトナーを十分に除去することができる。また、しわ等のダメージが発生しやすい薄手の記録用紙Ｓの場合、持ち上げられないことにより搬送経路が変化せず、当該ダメージの発生を確実に防止することができる。
【００５６】
また、本実施の形態では、加熱部として機能する押し当てローラー２００ｂ，２１０ｂには、一の方向に向かって温度が高くなる温度勾配が形成され、制御部１０１は、記録用紙Ｓの坪量に応じて、一の方向に沿った記録用紙Ｓの両端部と加熱部との接触位置を変更させるように制御することによって、記録用紙Ｓの両端部に対する加熱部の加熱温度を変更する。具体的には、記録用紙Ｓの坪量が１００［ｇｓｍ］未満である場合には、記録用紙Ｓの両端部を１２０［℃］で加熱する一方、記録用紙Ｓの坪量が１００［ｇｓｍ］以上である場合には、記録用紙Ｓの両端部を１８０［℃］で加熱する。この構成により、両端部に付着したトナー量が多くなりやすい厚手の記録用紙Ｓの場合、除去部材２００ａ，２１０ａにより除去しきれなかったトナーを確実に固化して、当該トナーに起因する汚れの不具合を確実に防止することができる。また、厚手記録用紙Ｓの場合と比べて、薄手の記録用紙Ｓに対する加熱温度を低くすることにより、薄手の記録用紙Ｓの両端部に付着した少量のトナーが記録用紙Ｓに染み込み過ぎて除去部材２００ａ，２１０ａにより除去効率が低下することを防止することができる。
【００５７】
また、本実施の形態では、除去部材２００ａ，２１０ａと記録用紙Ｓの両端部とを、所定の速度差をもって接触させる速度差生成部（第３駆動部１８４）を備え、制御部１０１は、記録用紙Ｓの坪量に応じて、所定の速度差を変更するように制御する。具体的には、記録用紙Ｓの坪量が２００［ｇｓｍ］未満である場合には、除去部材２００ａ，２１０ａと記録用紙Ｓの両端部とを所定の速度差（５［％］）をもって接触させる一方、記録用紙Ｓの坪量が２００［ｇｓｍ］以上である場合には、除去部材２００ａ，２１０ａと記録用紙Ｓの両端部とを所定の速度差（２５［％］）をもって接触させる。この構成により、両端部に付着したトナー量が多くなりやすい厚手の記録用紙Ｓの場合、速度差を増大させることにより除去部材２００ａ，２１０ａによるトナーの除去効率が向上し、記録用紙Ｓの両端部に付着したトナーを十分に除去することができる。また、しわ等のダメージが発生しやすい薄手の記録用紙Ｓの場合、速度差を減少させることにより記録用紙Ｓの両端部に対する除去部材２００ａ，２１０ａの負荷が低減し、当該ダメージの発生を確実に防止することができる。
【００５８】
［変形例］
なお、上記実施の形態では、画像形成条件（記録用紙Ｓの坪量）に基づいて、記録用紙Ｓの両端部と除去部２００，２１０との接触位置を変更させる例について説明したが、本発明はこれに限定されない。例えば、記録用紙Ｓの両端部近傍の面積に対する印字面積の割合を示す印字率に基づいて、記録用紙Ｓの両端部と除去部２００，２１０との接触位置を変更させても良い。その印字率に応じて、記録用紙Ｓの両端部に付着するトナー量が変化し、トナーの除去の必要度は変化するからである。印字率は、例えば画像処理部１３０により生成されたディジタル画像データに基づいて求めることができる。具体的には、印字率が高い（例えば、トナー像がほとんど記録用紙Ｓの全面にはみ出す）場合には、除去部２００，２１０によるトナーの除去の必要度は高い一方、印字率が低い（例えば、トナー像（文字）が記録用紙Ｓの一部からはみ出す）場合には、除去部２００，２１０によるトナーの除去の必要度は低い。
【００５９】
また、上記実施の形態では、制御部１０１は、記録用紙Ｓの坪量に応じて、記録用紙Ｓの両端部に対する加熱部（押し当てローラー２００ｂ，２１０ｂ）の加熱温度を変更する例について説明したが、本発明はこれに限定されない。例えば、制御部１０１は、記録用紙Ｓの坪量の判定結果に応じて、加熱部による加熱をオンまたはオフに切り替えても良い。具体的には、記録用紙Ｓの坪量が１００［ｇｓｍ］未満である場合には、加熱部による加熱をオフに切り替える一方、記録用紙Ｓの坪量が１００［ｇｓｍ］以上である場合には、加熱部による加熱をオンに切り替えても良い。また、上記印字率が２０［％］未満である場合、加熱部による加熱をオフに切り替える一方、上記印字率が２０［％］以上である場合には、加熱部による加熱をオンに切り替えても良い。この構成により、両端部に付着したトナー量が少なくなりやすい薄手の記録用紙Ｓの場合、除去部２００，２１０によるトナーの除去のみを行う（つまり、加熱を行わない）ことによって、加熱による無駄な電力消費を防止することができる。
【００６０】
また、上記実施の形態において、制御部１０１は、記録用紙Ｓの坪量の判定結果に応じて、記録用紙Ｓの両端部に対する加熱部（押し当てローラー２００ｂ，２１０ｂ）による加熱をオンまたはオフに切り替えるとともに、加熱をオンに切り替えた場合の加熱温度を変更しても良い。具体的には、記録用紙Ｓの坪量が１００［ｇｓｍ］未満である場合、加熱部による加熱をオフに切り替え、記録用紙Ｓの坪量が１００［ｇｓｍ］以上、かつ、２００［ｇｓｍ］未満である場合、記録用紙Ｓの両端部を１５０［℃］で加熱し、記録用紙Ｓの坪量が２００［ｇｓｍ］以上である場合、記録用紙Ｓの両端部を１９０［℃］で加熱しても良い。
【００６１】
また、上記実施の形態では、記録用紙Ｓの坪量が１００［ｇｓｍ］未満である場合には、記録用紙Ｓの両端部を１２０［℃］で加熱する一方、記録用紙Ｓの坪量が１００［ｇｓｍ］以上である場合には、記録用紙Ｓの両端部を１８０［℃］で加熱する例について説明したが、本発明はこれに限定されない。例えば、記録用紙Ｓの両端部を加熱する加熱温度については、記録用紙Ｓの坪量に応じて、１００〜１９０［℃］の間で適宜設定しても良い。この場合、画像形成装置１００で使用されるトナーの種類、すなわち溶融温度に応じて加熱温度を設定しても良い。また、２段階の加熱温度（１２０［℃］、１８０［℃］）を設けるのではなく、３段階以上の加熱温度を設け、記録用紙Ｓの坪量に応じて３段階以上の加熱温度の何れかを設定しても良い。
【００６２】
また、上記実施の形態では、記録用紙Ｓの坪量が２００［ｇｓｍ］未満である場合には、除去部材２００ａ，２１０ａと記録用紙Ｓの両端部とを所定の速度差（５［％］）をもって接触させる例について説明したが、所定の速度差は０〜１０［％］のうち任意の割合でも良い。また、上記実施の形態では、記録用紙Ｓの坪量が２００［ｇｓｍ］以上である場合には、除去部材２００ａ，２１０ａと記録用紙Ｓの両端部とを所定の速度差（２５［％］）をもって接触させる例について説明したが、所定の速度差は２０〜３０［％］のうち任意の割合でも良い。
【００６３】
また、上記実施の形態では、押し当てローラー２００ｂ，２１０ｂが押し当て部材および加熱部として機能する例について説明したが、本発明はこれに限定されない。例えば、押し当てローラー２００ｂ，２１０ｂが押し当て部材として機能し、加熱部として機能する加熱ローラーを別途設けても良い。図５は、除去部２１０の構成の変形例を示す図である。除去部２１０は、除去部材２１０ａと、押し当てローラー２１０ｂと、巻き取りローラー２１０ｃと、繰り出しローラー２１０ｄと、加熱ローラー２１０ｅとを備える。加熱ローラー２１０ｅは、除去部材２１０ａを介して記録用紙Ｓの右端部を加熱するハロゲンヒーター（図示せず）を内蔵している。ハロゲンヒーターの駆動制御（例えば、加熱のオン／オフ、加熱温度）は、制御部１０１によって制御される。ハロゲンヒーターによって加熱ローラー２１０ｅが加熱され、その結果、除去部材２１０ａを介して記録用紙Ｓの右端部が加熱される。図５に示す構成によれば、まず、記録用紙Ｓの右端部に付着したトナーが除去部材２１０ａによって除去され、その後、当該右端部に残留しているトナーが加熱ローラー２１０ｅによって固化される。なお、押し当てローラー２１０ｂの位置と、加熱ローラー２１０ｅの位置とは逆でも良い。除去部２００についても、図５に示す除去部２１０の構成と同様に、押し当てローラー２００ｂが押し当て部材として機能し、加熱部として機能する加熱ローラーを別途設けても良い。
【００６４】
また、上記実施の形態では、除去部２００，２１０全体が、制御部１０１の制御を受けた第１駆動部１８０によって図２（ｂ）中の左右方向に移動可能である例について説明したが、本発明はこれに限定されない。例えば、除去部２００，２１０を構成する押し当てローラー２００ｂ，２１０ｂのみが、制御部１０１の制御を受けた第１駆動部１８０によって図２（ｂ）中の左右方向に移動可能でも良い。この場合、制御部１０１は、操作表示部１２０を介してあらかじめ設定された記録用紙Ｓの用紙幅に応じて、除去部材２００ａ，２１０ａが所定の圧力で記録用紙Ｓの両端部に押し当てられるように、押し当てローラー２００ｂ，２１０ｂを図２（ｂ）中の左右方向に移動させる。
【００６５】
また、上記実施の形態では、記録用紙Ｓの持ち上げ量を変更することによって、記録用紙Ｓの両端部と除去部２００，２１０との接触位置を変更させる例について説明したが、本発明はこれに限定されない。例えば、記録用紙Ｓの持ち上げる構成の代わりに、除去部２００，２１０を下げる構成を設け、記録用紙Ｓの両端部と除去部２００，２１０との接触位置を変更させても良い。ただし、画像形成装置１００の構成を簡便化する観点からは、記録用紙Ｓの持ち上げ量を変更することによって、記録用紙Ｓの両端部と除去部２００，２１０との接触位置を変更させる方が好ましい。
【００６６】
その他、上記実施の形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００６７】
１００  画像形成装置
１０１  制御部
１０２  ＣＰＵ
１０３  ＲＯＭ
１０４  ＲＡＭ
１１０  原稿読み取り部
１２０  操作表示部
１３０  画像処理部
１４０  画像書込部
１５０  画像形成部
１５１  中間転写ベルト
１５２  ２次転写ローラー
１５３  駆動ローラー
１５４  従動ローラー
１６０  搬送部
１６１  未定着用紙搬送装置
１６１ａ，１６１ｂ  搬送ローラー
１６１ｃ  搬送ベルト
１６２  突入ガイド
１７０  定着部
１７１  通信部
１７２  記憶部
１７５  定着ローラー
１７６  加圧ローラー
１８０  第１駆動部
１８２  第２駆動部
１８４  第３駆動部
２００，２１０  除去部
２００ａ，２１０ａ  除去部材
２００ｂ，２１０ｂ  押し当てローラー
２００ｂａ，２１０ｂａ  上側加熱部
２００ｂｂ，２１０ｂｂ  下側加熱部
２００ｃ，２１０ｃ  巻き取りローラー
２００ｄ，２１０ｄ  繰り出しローラー
２１０ｅ  加熱ローラー
２２０，２３０  スライドカム
【図１】
2014206584.tif 000003
【図２】
2014206584.tif 000004
【図３】
2014206584.tif 000005
【図４】
2014206584.tif 000006
【図５】
2014206584.tif 000007